(57)【要約】  本発明は、実質的に楕円形（例えば卵型）の横断面形状のブラシ毛の複数列の特徴的な配列を備えているヘアブラシに関する。各ブラシ毛は、短軸で屈曲する性質のブレードに似ているものであり、その長軸では屈曲に抵抗する。このブラシ毛を複数列に配毛することにより、屈曲の方向が制御され、毛髪は毛梳きを促進する異なる方向に動かすことができるが、ブラッシングの品質を犠牲にすることはない。
2019509879.tif 000002
【特許請求の範囲】
【請求項１】
毛髪をとかすヘアブラシであって、
頂部の端と底部の端とを備え、これらの間に長手方向軸が規定されている延びた形状の取り付け部と、
延びた形状の前記取り付け部に取り付けられているブラシ毛材とを備え、
前記ブラシ毛材は、相互に間隔をおいた直立したブラシ毛の実質的に平行な相互に間隔をおいた複数の列を有し、各前記ブラシ毛は、少なくとも部分的に実質的に楕円形をなし長軸を伴う横断面を有し、実質的に平行な相互に間隔をおいた複数の列は、前記長手方向軸に実質的に垂直な前記長軸を有するブラシ毛の第１の複数の列と、前記長手方向軸に対して鋭角又は鈍角をなす前記長軸を有するブラシ毛の第２の複数の列とを含み、前記第１の複数の列は、前記第２の複数の列によって１列ずつで又はまとめて相互に隔てられている、ヘアブラシ。
【請求項２】
前記長手方向軸に対する前記鋭角が４０〜５０度の範囲である請求項１記載のヘアブラシ。
【請求項３】
前記長手方向軸に対する前記鈍角が１３０〜１４０度の範囲である請求項１又は２記載のヘアブラシ。
【請求項４】
前記第２の複数の列の各列の前記ブラシ毛は、前記長手方向軸に対して共通の鋭角又は鈍角をなす前記長軸を有する請求項１ないし３のいずれか１項記載のヘアブラシ。
【請求項５】
前記第２の複数の列の中には、前記長手方向軸に対して鋭角をなす前記長軸を有するブラシ毛と、前記長手方向軸に対して鈍角をなす前記長軸を有するブラシ毛とを含んでいる請求項１ないし４のいずれか１項記載のヘアブラシ。
【請求項６】
実質的に平行な相互に間隔をおいた前記複数の列は、規則的に相互に間隔をおいている請求項１ないし５のいずれか１項記載のヘアブラシ。
【請求項７】
前記第１の複数の列は、前記第２の複数の列によってまとめて相互に隔てられている請求項１ないし６のいずれか１項記載のヘアブラシ。
【請求項８】
前記第１の複数の列は、前記第２の複数の列によって２列ずつで相互に隔てられている請求項７記載のヘアブラシ。
【請求項９】
前記第１の複数の列は、まとめて前記第２の複数の列によって、１列ずつで又はまとめて相互に隔てられている請求項１記載のヘアブラシ。
【請求項１０】
前記第１の複数の列は、前記第２の複数の列の２列ずつによって、１列ずつで又はまとめて相互に隔てられている請求項９記載のヘアブラシ。
【請求項１１】
前記第２の複数の列の隣り合う２列のそれぞれでの前記ブラシ毛は、前記長手方向軸に対して共通の鋭角又は鈍角をなす前記長軸を有する請求項１０記載のヘアブラシ。
【請求項１２】
前記第２の複数の列は、２列ずつ繰り返して、前記長手方向軸に対して共通の鋭角及び鈍角をなすことが、交互になっている請求項９記載のヘアブラシ。
【請求項１３】
前記第１の複数の列は、前記第２の複数の列の２列ずつによって２列ずつで相互に隔てられている請求項１記載のヘアブラシ。
【請求項１４】
前記第１の複数の列は、前記第２の複数の列の２列ずつによって２列ずつで相互に隔てられていて、前記第２の複数の列は、２列ずつ繰り返して、前記長手方向軸に対して共通の鋭角及び鈍角をなすことが、交互になっている請求項１３記載のヘアブラシ。
【請求項１５】
前記第１の複数の列は、前記第２の複数の列によって１列ずつで相互に隔てられている請求項１ないし６のいずれか１項記載のヘアブラシ。
【請求項１６】
前記第１の複数の列は、前記第２の複数の列の１列ずつによって１列ずつで相互に隔てられている請求項１５記載のヘアブラシ。
【請求項１７】
前記第２の複数の列は、複数列ずつ繰り返して、前記長手方向軸に対して共通の鋭角及び鈍角をなすことが、交互になっている請求項１６記載のヘアブラシ。
【請求項１８】
各前記ブラシ毛は、均一に実質的に楕円形である横断面を有する請求項１ないし１７のいずれか１項記載のヘアブラシ。
【発明の詳細な説明】
【技術分野】
【０００１】
本発明はヘアブラシに関する。
【背景技術】
【０００２】
毛髪をとかす（ｄｅｔａｎｇｌｉｎｇ）ために利用可能なブラシの現行の種類は通常、さまざまなパターンに配毛され、異なる高さを有する可撓的なプラスチック製のブラシ毛を備えている。この配毛は、毛髪と最初に接触するブラシ毛の数を制限する作用をし、毛髪のもつれによる抵抗を減少させる。もつれが次第にほぐされると、ブラシは毛髪の中により深く通され、やや短いブラシ毛がもつれに接触し、もつれに加える力を増加させるので、もつれをほぐすのに助けになる。それらの可撓性によって、ブラシ毛はもつれとの接触で、引っ張るよりはむしろ屈曲する。このことの主要な欠点は、一旦もつれが毛梳きされる（ｂｒｕｓｈｅｄ  ｏｕｔ）と、最長のブラシ毛のうち毛髪と接するものが少なくなるため、ブラシがうまく機能しなくなってしまうことである。
【０００３】
ヘアブラシに使用された大多数のプラスチック製のブラシ毛は、円形の横断面を有する。これは等しい力が加わったときにどの方向にも等しく屈曲することを意味する。円形のブラシ毛が障害物（例えば毛玉）に出会ったときに、ブラシの進む経路と反対方向に屈曲する。これにより、各毛玉は次の毛玉を単純に押圧するようになる。このことは毛髪のコントロールを非常に困難にしてしまう。
【０００４】
ブラシの現行の種類のうち一例に、ＴＡＮＧＬＥ  ＡＮＧＥＬ（登録商標）のブラシがある。これは、異なる高さを有する円形の可撓的なブラシ毛を有する。ブラシの基部は波打った形状である。これは、最も高い平面上のブラシ毛が、低い平面上のブラシ毛よりも早く毛髪の中を通ることを意味する。これにより、絡まった毛髪を引っ張りなしに次第にうまく導き出すことができる。しかしこれらのブラシ毛は同じ方向に動くため、１個の毛玉を下の毛玉の上に押し上げることしかできない。
【０００５】
国際公開２０１６／００１６５８号はヘアブラシを開示している。これは、可撓的なブラシ毛が基部からその自由端に向かって次第に幅狭になり、ずれた列になって同一直線上にある中心軸を伴って配毛されている。
【０００６】
英国特許公開２４４７６９２号は毛髪をとかすヘアブラシを開示している。これは、長い、また短い可撓的なブラシ毛が凹面の基部に交互に配毛され、二重作用の毛梳きの動作を供している。
【発明の概要】
【０００７】
本発明は、特定の形状のブラシ毛の特徴的な配列を用いたヘアブラシの改良を図るものである。
【０００８】
従って、第１の態様に係り、本件は、毛髪をとかすヘアブラシであって、
頂部の端と底部の端とを備え、これらの間に長手方向軸が規定されている延びた形状の取り付け部と、
延びた形状の取り付け部に取り付けられているブラシ毛材（ｂｒｉｓｔｌｅ  ｂｏｄｙ）とを備え、ブラシ毛材は、相互に間隔をおいた直立したブラシ毛の実質的に平行な相互に間隔をおいた複数の列を有し、各ブラシ毛は、少なくとも部分的に実質的に楕円形をなし長軸を伴う横断面を有し、実質的に平行な相互に間隔をおいた複数の列は、長手方向軸に実質的に垂直な長軸を有するブラシ毛の第１の複数の列と、長手方向軸に対して鋭角又は鈍角をなす長軸を有するブラシ毛の第２の複数の列とを含み、第１の複数の列は、第２の複数の列によって１列ずつで又はまとめて相互に隔てられている、ヘアブラシを提供する。
【０００９】
実質的に楕円形（例えば卵型）の横断面のはたらきで、各ブラシ毛は、短軸で屈曲する性質のブレードに似ているものであり、その長軸では屈曲に抵抗する。本発明でこのブラシ毛を、長軸に関して複数列に配毛することにより、屈曲の方向が制御され、毛髪は毛梳きを促進する異なる方向に動かすことができるが、ブラッシングの品質を犠牲にすることはない。
【００１０】
好ましくは、長手方向軸に対する鋭角が３０〜６０度の範囲であり、特に好ましくは、４０〜５０度の範囲（例えば４５度）である。
【００１１】
好ましくは、長手方向軸に対する鈍角が１２０〜１５０度の範囲であり、特に好ましくは、１３０〜１４０度の範囲（例えば１３５度）である。
【００１２】
好ましくは、第２の複数の列の各列のブラシ毛は、長手方向軸に対して共通の鋭角又は鈍角をなす長軸を有する。
【００１３】
好ましくは、第２の複数の列の中には、長手方向軸に対して鋭角をなす長軸を有するブラシ毛と、長手方向軸に対して鈍角をなす長軸を有するブラシ毛とを含んでいる。
【００１４】
好ましくは、実質的に平行な相互に間隔をおいた複数の列は、規則的に相互に間隔をおいている。
【００１５】
互いに離された実質的に平行な複数の列は、さらに、ブラシ毛の第３の複数の列を備えていてよく、その長軸は長手方向軸に実質的に平行である。第１の複数の列は、第２の複数の列及び第３の複数の列によって、１列ずつで又はまとめて相互に隔てられていてよい。
【００１６】
好ましい実施形態によれば、第１の複数の列は、第２の複数の列によってまとめて相互に隔てられている。特に好ましくは、第１の複数の列は、第２の複数の列によって２列ずつで相互に隔てられている。
【００１７】
好ましい実施形態によれば、第１の複数の列は、まとめて第２の複数の列によって、１列ずつで又はまとめて相互に隔てられている。特に好ましくは、第１の複数の列は、第２の複数の列の２列ずつによって、１列ずつで又はまとめて相互に隔てられている。さらに好ましくは、第２の複数の列の隣り合う２列のそれぞれでのブラシ毛は、長手方向軸に対して共通の鋭角又は鈍角をなす長軸を有する。さらに好ましくは、第２の複数の列は、２列ずつ繰り返して、長手方向軸に対して共通の鋭角及び鈍角をなすことが、交互になっている。
【００１８】
好ましい実施形態によれば、第１の複数の列は、第２の複数の列の２列ずつによって２列ずつで相互に隔てられている。特に好ましくは、第１の複数の列は、第２の複数の列の２列ずつによって２列ずつで相互に隔てられていて、第２の複数の列は、２列ずつ繰り返して、長手方向軸に対して共通の鋭角及び鈍角をなすことが、交互になっている。
【００１９】
好ましい実施形態によれば、第１の複数の列は、第２の複数の列によって１列ずつで相互に隔てられている。特に好ましくは、第１の複数の列は、第２の複数の列の１列ずつによって１列ずつで相互に隔てられている。さらに好ましくは、第２の複数の列は、複数列ずつ繰り返して、長手方向軸に対して共通の鋭角及び鈍角をなすことが、交互になっている。
【００２０】
典型的には、相互に間隔をおいた直立したブラシ毛の、実質的に平行な相互に間隔をおいた複数の列は、整列している。例えば、相互に間隔をおいた直立したブラシ毛の、実質的に平行な相互に間隔をおいた複数の列は、実質的に規則的な（例えば直方体又は立方体の形状の）群を呈するものであってよい。
【００２１】
延びた形状の取り付け部は、延びた形状のシェル取り付け部であってよい。
【００２２】
延びた形状の取り付け部は、ヘッド、及び延びた形状の筒状の柄部内に向けて延びているネックを備えてよい。
【００２３】
延びた形状の取り付け部は、ぴったりと手に収まる形態になっていてよい。
【００２４】
延びた形状の取り付け部はパドル型であってよい。
【００２５】
ブラシ毛材は、ブラシ毛シェル構造又はブラシ毛パッドであってよい。
【００２６】
ブラシ毛材の外部は、傾斜していてよく、又は平坦、又は円形、又は凹形状であってよい。ブラシ毛材の外部は凹面であってよい。
【００２７】
ブラシ毛材は抗菌剤又は静電防止剤の添加剤を含んでよい。ブラシ毛材は耐熱性を有してよい。
【００２８】
ブラシ毛材は、延びた形状の取り付け部のネックに沿って延びていてよい。
【００２９】
好ましくは、ブラシ毛材は、延びた形状の取り付け部の、延びた形状の筒状の柄部に沿って延びている。これは、ブラシ毛材がユーザーの手と接触したときに、毛髪から静電気を逃がす接地片として作用することができるため、ブラシ毛材が静電防止の性質を有する場合に有用である。
【００３０】
好ましくは、各ブラシ毛は、少なくとも先端、又は先端の近傍で実質的に楕円形である横断面を有する。
【００３１】
好ましくは、各ブラシ毛は、均一に実質的に楕円形である横断面を有する。
【００３２】
各ブラシ毛は可撓性の（例えば、弾力的に可撓的な）ブラシ毛であってよい。各ブラシ毛は異なる、又は同様の、又は同一の長さを有してよい。
【００３３】
ブラシ毛の先端はドーム形であってよい。ブラシ毛の先端は、平面又は曲面（例えば凹の曲面）を呈していてよい。
【００３４】
使用されるヘアブラシは、長手方向軸に実質的に垂直な方向に毛髪の間を全体的に引き出される。
【００３５】
ヘアブラシは、パドルブラシ又は円形のブラシであってよい。
【００３６】
ヘアブラシは、人間や動物（例えばペット）に使用してもよい。
【００３７】
ヘアブラシは、使用中に振動するように駆動されてもよい。
【図面の簡単な説明】
【００３８】
本発明は、以下の添付図面を参照して非限定的な意味で説明することとする。
【００３９】
【図１】（ａ）正面図、（ｂ）背面斜視図、（ｃ）正面斜視図及び（ｄ）側面図における本発明のヘアブラシの第１実施形態を示す。
【図２】従来のヘアブラシのブラシ毛パターン及び本発明の実施形態のブラシ毛パターンを示す。
【図３】第１実施形態のパドル型の取り付けシェル構造の上部を示す。
【図４】本発明のヘアブラシの第２実施形態のブラシ毛シェル構造及びそのブラシ毛パターンを示す。
【発明を実施するための形態】
【００４０】
例１
図１（ａ）ないし１（ｄ）に、本発明のヘアブラシ１の第１実施形態を示す。ヘアブラシ１は２部分のシェルとなっていて、これは（図１で陰影のない）パドル型の取り付けシェル構造１Ａ（取り付け部の一例）からなり、その上に（図１で陰影を施した）ブラシ毛シェル構造１Ｂが取り付けられている。パドル型の取り付けシェル構造１Ａは、ポリプロピレンで形成されている。図３にその上部分を分けて示している。ブラシ毛シェル構造１Ｂは、静電防止剤及び抗菌剤の添加剤を含んだ熱可塑性のエラストマーで形成されている。
【００４１】
パドル型の取り付けシェル構造１Ａは、ほぼハート型のヘッドシェル（頂部シェル）２を備え、延びた形状の筒状の柄部３内に向けて延びる細長いネックシェル４を、ハート型のヘッドシェル２の下端に有する。ほぼハート型のヘッドシェル２は、装飾を施した外側凸面１０と浅い内側凹面２０とを備えている。延びた形状の筒状の柄部３は、一端が扁平の底部の端（ｆｏｏｔ）５となっている。
【００４２】
ブラシ毛シェル構造１Ｂは、ほぼハート型のヘッドシェル（頂部シェル）１３を備え、ネックシェル４０をヘッドシェル１３の下端に有する。ヘッドシェル１３及びネックシェル４０の形状はヘッドシェル２及びネックシェル４の形状を補完し、ブラシ毛シェル構造１Ｂと取り付けシェル構造１Ａとは相互に圧入で取り付けられる。ユーザーによって握られる延びた形状の筒状の柄部３へのネックシェル４０の近接した配置は、ヘアブラシ１を静電気に関して接地することに役立つものである。
【００４３】
ブラシ毛シェル構造１Ｂの第１端は、第１対の圧入部５０によって、内部でネックシェル４に係止され、ブラシ毛シェル構造１Ｂの第２端は、第２対の圧入部５１によって、内部でハート型のヘッドシェル２の先端に係止されている。この他の圧入部が、パドル型の取り付けシェル構造１Ａとブラシ毛シェル構造１Ｂとのそれぞれの縁に設けられている。圧入で一つにした状態は、接着剤を用いることで強化されている。
【００４４】
ブラシ毛シェル構造１Ｂは、同じ長さの一群（ａｒｒａｙ）のブラシ毛（ｂｒｉｓｔｌｅｓ）１６を備え、これらは浅い外側凹面１７から延びている。各ブラシ毛１６は、実質的に楕円形の横断面を有する。群のブラシ毛１６の長軸は、ヘアブラシ１の長手方向軸に沿って延びるものであり、図２中のパターン１に概略的に示されている。この群では、ヘアブラシ１の長手方向軸に垂直な長軸を有する複数対の列のブラシ毛１６Ａが、複数対の列のブラシ毛１６Ｂ，１６Ｂ’に沿って挟まれて配列されている。対の列のブラシ毛１６Ｂ，１６Ｂ’は、長手方向軸に対して交互に、それぞれ約４５度，１３５度をなしている長軸を有する。対の列のブラシ毛１６Ａ（第１の複数の列に対応）は、その長軸が長手方向軸に垂直であるが、ブレードの位置（最も可撓的でない）になっている。対の列のブラシ毛１６Ｂ（第２の複数の列に対応）は、長手方向軸に対して約４５度，１３５度をなしているが、対の列のブラシ毛１６Ａから毛髪を引き離すことに役立つようになっている。
【００４５】
比較試験
図２中のヘアブラシの長手方向軸に関連付けて示されたブラシ毛パターン１〜６を備えたヘアブラシに、試験を行った。それぞれの場合に、ブラシ毛は同じ材質で同じ可撓性を与えて作成された。ユーザーたちは、目隠し検査が行われ、ブラシ毛が屈曲する方向も、ブラシ毛パターンも見ることができない状態にされた。
【００４６】
ブラシ毛パターン１，３，４は本発明の実施形態のブラシ毛パターンである。ブラシ毛パターン５は、比較の目的で試験された従来のヘアブラシのブラシ毛パターンである。ブラシ毛パターン２，６は、一層の比較の目的のために試験されたものである。
【００４７】
結果
試験では、ブラシ毛パターン５が最も効果の小さいものであり、毛髪の毛梳きでは最も人気のないものであった。かきむしられることが感じられ、強く引っ張ることをせず毛髪の間をブラシするのに苦労するものであった。
【００４８】
ブラシ毛パターン２は、互いに直角をなす各ブラシ毛を有する。これは好まれるものではなかった。その反応のフィードバックは、かきむしられることが感じられ、毛髪が引っ張られてしまうというものであった。
【００４９】
パターン６に対しては、特筆すべきフィードバックはなかった。
【００５０】
ブラシ毛パターン１，３，４は、柔らかい感触のものとして際立っていて、もつれた毛髪の間でよく機能するものであった。
【００５１】
ブラシ毛パターン１が、最も好まれた。ブラシが柔らかい感触のものであり、他のものより小さな引っ張りと抵抗で、絡まった毛髪の間がブラッシングされたと、すべてのユーザーが気づいた。円形の横断面を有するブラシ毛を備えた、従来のＴＡＮＧＬＥ  ＡＮＧＥＬ（登録商標）とともに試用され、本ブラシは、すべてのユーザーから改善されたものであると認められた。
【００５２】
例２
図４に、本発明のヘアブラシの第２実施形態に係るブラシ毛シェル構造４Ｂを示す。ブラシ毛シェル構造４Ｂは第１実施形態のブラシ毛シェル構造１Ｂと全体的に同一であるが、（図示したように）異なったブラシ毛パターンを有する一群のブラシ毛４Ａを備えている。この一群のブラシ毛４Ａで、ヘアブラシの長手方向軸に垂直な長軸を有する（第１の）一列のブラシ毛４６Ａが、（第２の）複数の列のブラシ毛４６Ｂ，４６Ｂ’に沿って挟まれて配列されている。複数の列のブラシ毛４６Ｂ，４６Ｂ’は、長手方向軸に対して交互に、それぞれ約４５度，１３５度をなしている長軸を有する。
【図１（ａ）】
2019509879.tif 000003
【図１（ｂ）】
2019509879.tif 000004
【図１（ｃ）】
2019509879.tif 000005
【図１（ｄ）】
2019509879.tif 000006
【図２】
2019509879.tif 000007
【図３】
2019509879.tif 000008
【図４】
2019509879.tif 000009
【国際調査報告】
2019509879.tif 000010
2019509879.tif 000011